(57)【特許請求の範囲】
【請求項１】
ＤＰＣＨチャネルおよびＨＳＤＰＡチャネルを含む無線信号を受信する受信手段と、
前記無線信号の遅延プロファイルを出力する相関回路と、
前記遅延プロファイルを用いて、前記ＤＰＣＨチャネル用にレイク合成のフィンガ割当を行うＤＰＣＨ用フィンガ割当手段と、
前記遅延プロファイルを用いて、前記ＨＳＤＰＡチャネル用にレイク合成のフィンガ割当を行うＨＳＤＰＡ用フィンガ割当手段と、
前記ＤＰＣＨ用フィンガ割当手段の割当結果に従って前記ＤＰＣＨチャネルのレイク合成を行うＤＰＣＨ用レイク合成手段と、
前記ＨＳＤＰＡ用フィンガ割当手段の割当結果に従って前記ＨＳＤＰＡチャネルのレイク合成を行うＨＳＤＰＡ用レイク合成手段と、
を具備し、
前記ＤＰＣＨ用フィンガ割当手段と前記ＨＳＤＰＡ用フィンガ割当手段とは、
前記相関回路から出力される同一の遅延プロファイルを用いて、互いに異なる割当方法によりフィンガ割当を行う、
ことを特徴とする無線受信装置。
【請求項２】
前記ＤＰＣＨ用フィンガ割当手段は、前記ＤＰＣＨチャネルに適した割当方法を用い、
前記ＨＳＤＰＡ用フィンガ割当手段は、前記ＨＳＤＰＡチャネルに適した割当方法を用いる、
ことを特徴とする請求項１記載の無線受信装置。
【請求項３】
閾値以上の遅延プロファイルのピークに対しフィンガ割当を行う割当方法において、
前記ＤＰＣＨ用フィンガ割当手段の閾値は、前記ＨＳＤＰＡ用フィンガ割当手段の閾値よりも高い、
ことを特徴とする請求項１記載の無線受信装置。
【請求項４】
前記ＤＰＣＨ用フィンガ割当手段の前方保護段数は、前記ＨＳＤＰＡ用フィンガ割当手段の前方保護段数よりも大きい、
ことを特徴とする請求項１記載の無線受信装置。
【請求項５】
前記ＤＰＣＨ用フィンガ割当手段のフィンガ割当可能区間は、前記ＨＳＤＰＡ用フィンガ割当手段のフィンガ割当可能区間よりも長い、
ことを特徴とする請求項１記載の無線受信装置。
【請求項６】
前記ＨＳＤＰＡチャネルは、ＨＳ−ＰＤＳＣＨチャネルおよびＨＳ−ＳＣＣＨチャネルを含む、
ことを特徴とする請求項１記載の無線受信装置。
【請求項７】
前記受信手段は、
ＨＳ−ＰＤＳＣＨチャネルおよびＨＳ−ＳＣＣＨチャネルをダイバーシチ受信する、
ことを特徴とする請求項１記載の無線受信装置。
【請求項８】
ＤＰＣＨチャネルおよびＨＳＤＰＡチャネルを含む無線信号を受信する受信ステップと、
前記無線信号の遅延プロファイルを生成する生成ステップと、
前記遅延プロファイルを用いて、前記ＤＰＣＨチャネル用にレイク合成のフィンガ割当を行う第１割当ステップと、
前記遅延プロファイルを用いて、前記ＨＳＤＰＡチャネル用にレイク合成のフィンガ割当を行う第２割当ステップと、
前記第１割当ステップの割当結果に従って前記ＤＰＣＨチャネルのレイク合成を行う第１合成ステップと、
前記第２割当ステップの割当結果に従って前記ＨＳＤＰＡチャネルのレイク合成を行う第２合成ステップと、
を具備し、
前記第１割当ステップと前記第２割当ステップとは、前記生成ステップで生成される同一の遅延プロファイルを用いて、互いに異なる割当方法によりフィンガ割当を行う、
ことを特徴とするフィンガ割当方法。
【請求項９】
基地局装置から、ＨＳ−ＰＤＳＣＨ、ＨＳ−ＳＣＣＨ、およびＤＰＣＨを受信する受信手段と、
レイク合成におけるフィンガ割当に使用されるパステーブルであって、前記ＨＳ−ＰＤＳＣＨおよび前記ＨＳ−ＳＣＣＨで同一のパステーブルが設定され、前記ＤＰＣＨには前記同一のパステーブルとは異なるパステーブルが設定される複数のパステーブルと、
前記複数のパステーブルを用いて、前記ＨＳ−ＰＤＳＣＨおよび前記ＨＳ−ＳＣＣＨと前記ＤＰＣＨとで独立にフィンガ割当を行い、レイク合成するレイク合成手段と、
前記複数のパステーブルの内容を適応的に変更する変更手段と、
を具備し、
前記受信手段は、
前記基地局装置から前記ＨＳ−ＰＤＳＣＨおよびＨＳ−ＳＣＣＨの送信の有無に関する情報を受信し、
前記変更手段は、
前記送信の有無に関する情報に基づいて前記複数のパステーブルの内容を変更する、
ことを特徴とする無線受信装置。
【発明の詳細な説明】
【技術分野】
【０００１】
本発明は、ＨＳＤＰＡ（High Speed Downlink Packet Access）方式を採用した通信システムに使用される無線受信装置、およびこの装置においてレイク合成を行う際に使用されるフィンガ割り当て方法に関する。
【背景技術】
【０００２】
従来、より高速なＩＭＴ−２０００のパケットデータ伝送方式として、下りのピーク伝送速度の高速化、低伝送遅延、高スループット化等を目的としたＨＳＤＰＡ（High Speed Downlink Packet Access）と呼ばれる方式が検討されている。
【０００３】
このＨＳＤＰＡ方式を採用した通信システムにおける一般的な通信シーケンスについて以下説明する。移動局は、下りＣＰＩＣＨ（Common Pilot Channel）を受信して、受信品質に関する情報であるＣＱＩ（Channel Quality Indicator）情報を生成し、上りＨＳ−ＤＰＣＣＨ（High Speed - Dedicated Physical Control Channel）を用いて基地局に報告する。このとき、ＨＳ−ＤＰＣＣＨの送信パワは、下りＤＰＣＨ（Dedicated Physical Channel）の送信電力制御に使用されるＴＰＣ（Transmission Power Control）コマンドから求められる上りＤＰＣＨのパワにオフセットを加えた値が用いられている。また、移動局は、ＨＳ−ＳＣＣＨ（High Speed - Shared Control Channel）を受信し、自局宛てのＨＳＤＰＡ通信パケットが送信されているか否かを確認する。そして、自局宛ての通信パケットが送信されていた場合、ＨＳ−ＰＤＳＣＨ（High Speed - Physical Downlink Shared Channel）を受信する。なお、ＨＳ−ＳＣＣＨおよびＨＳ−ＰＤＳＣＨは、パワ制御されていない。移動局は、ＨＳ−ＤＰＣＣＨを受信した結果のＡＣＫ信号またはＮＡＣＫ信号を上りＨＳ−ＤＰＣＣＨを用いて基地局に報告する。
【０００４】
また、移動局においては、受信信号の復調にあたり、マルチパスの影響を軽減すると共にパスダイバーシチ効果を得るために、レイク合成と呼ばれる処理が行われる。このレイク合成においては、マルチパスそれぞれの相関演算を行うための複数系統（フィンガ）の回路と、レイク合成において使用されるパス（候補パス）に関するデータを管理するパス管理テーブル（または単にパステーブル）とが用意される（例えば、特許文献１参照）。そして、観測されたそれぞれのパスがパス管理テーブルに基づいて各フィンガに割り当てられ、レイク合成が行われる。
【０００５】
なお、上記のパス管理テーブルは、検出したパスそれぞれについて、パス位相情報、パス相関値情報、閾値比較情報、ランク情報、前方保護・後方保護情報等を情報として有するデータ・テーブルである。また、パス位相情報とは、プロファイル結果からパス候補となる位相の情報である。パス相関値情報とは、プロファイル結果からのパス候補となる相関値の情報である。閾値比較情報とは、所定の閾値とパス相関値を比較して所定の閾値を超えているかどうかを表す情報である。ランク情報とは、ある閾値１を超えていたらランクＡ（第１優先フィンガに割り当て候補）、ある閾値２を超えていたらランクＢ（第２優先フィンガ割り当て候補）、など、フィンガに割り当てる優先順位を示す情報。前方保護／後方保護情報とは、ランクの状態遷移における前方保護、後方保護を表す。
【特許文献１】特開２００１−２４４８５９号公報
【発明の開示】
【発明が解決しようとする課題】
【０００６】
しかしながら、従来の移動局装置は、復調チャネルの信号を受信する場合でも、１つのチャネルパス管理テーブルを使用している。これにより、パス管理テーブルに設定されている各種パラメータ（閾値、前方保護段数、後方保護段数等）をＤＰＣＨ受信用に、すなわち、連続的な信号の受信用に最適化すると、バースト的な信号を受信して行われるＣＱＩ情報生成およびＨＳＤＰＡ関連チャネル受信に対して復調性能が劣化するという問題がある。
【０００７】
また、ＤＰＣＨは、移動局がソフトハンドオーバ（ＳＨＯ）状態にある場合には、複数のセルからこの移動局に対し送信を行うこととなる。一方、ＨＳ−ＰＤＳＣＨ/ＨＳ−ＳＣＣＨは、ＳＨＯの対象となることはなく、１つのセルからのみ送信される。従って、高速通信において、ＤＰＣＨとＨＳＤＰＡとに関連するチャネルは、同一セル内で受信するにも関わらず、必要なフィンガ数が異なるという現象が発生する。すなわち、ＤＰＣＨ用のフィンガ数とＨＳ−ＰＤＳＣＨ/ＨＳ−ＳＣＣＨ/ＣＱＩ用のフィンガ数が異なってくる。よって、フィンガ数の異なるチャネルに対して１つのパス管理テーブルを用いてしまうことで、移動局装置の復調性能は劣化する。
【０００８】
本発明は、かかる点に鑑みてなされたものであり、ＨＳＤＰＡのような、受信側が特性の異なる複数チャネルの信号を受信する通信システムにおいて、復調性能を向上させることができる無線受信装置、およびこの装置においてレイク合成を行う際に使用されるフィンガ割り当て方法を提供することを目的とする。
【課題を解決するための手段】
【０００９】
本発明の無線受信装置は、ＤＰＣＨチャネルおよびＨＳＤＰＡチャネルを含む無線信号を受信する受信手段と、前記無線信号の遅延プロファイルを出力する相関回路と、前記遅延プロファイルを用いて、前記ＤＰＣＨチャネル用にレイク合成のフィンガ割当を行うＤＰＣＨ用フィンガ割当手段と、前記遅延プロファイルを用いて、前記ＨＳＤＰＡチャネル用にレイク合成のフィンガ割当を行うＨＳＤＰＡ用フィンガ割当手段と、前記ＤＰＣＨ用フィンガ割当手段の割当結果に従って前記ＤＰＣＨチャネルのレイク合成を行うＤＰＣＨ用レイク合成手段と、前記ＨＳＤＰＡ用フィンガ割当手段の割当結果に従って前記ＨＳＤＰＡチャネルのレイク合成を行うＨＳＤＰＡ用レイク合成手段と、を具備し、前記ＤＰＣＨ用フィンガ割当手段と前記ＨＳＤＰＡ用フィンガ割当手段とは、前記相関回路から出力される同一の遅延プロファイルを用いて、互いに異なる割当方法によりフィンガ割当を行う構成を採る。
【００１３】
この構成によれば、ＨＳＤＰＡのような無線受信装置が複数チャネルの信号を受信する通信システムにおいて、各チャネルの特性に合わせてパステーブルを別々に設定するので、無線受信装置の復調性能を向上させることができる。
【００１６】
本発明の無線受信装置は、基地局装置から、ＨＳ−ＰＤＳＣＨ、ＨＳ−ＳＣＣＨ、およびＤＰＣＨを受信する受信手段と、レイク合成におけるフィンガ割当に使用されるパステーブルであって、前記ＨＳ−ＰＤＳＣＨおよび前記ＨＳ−ＳＣＣＨで同一のパステーブルが設定され、前記ＤＰＣＨには前記同一のパステーブルとは異なるパステーブルが設定される複数のパステーブルと、前記複数のパステーブルを用いて、前記ＨＳ−ＰＤＳＣＨおよび前記ＨＳ−ＳＣＣＨと前記ＤＰＣＨとで独立にフィンガ割当を行い、レイク合成するレイク合成手段と、前記複数のパステーブルの内容を適応的に変更する変更手段と、を具備し、前記受信手段は、前記基地局装置から前記ＨＳ−ＰＤＳＣＨおよびＨＳ−ＳＣＣＨの送信の有無に関する情報を受信し、前記変更手段は、前記送信の有無に関する情報に基づいて前記複数のパステーブルの内容を変更する構成を採る。
【００１７】
この構成によれば、基地局装置からＨＳ−ＰＤＳＣＨおよびＨＳ−ＳＣＣＨが送信されているか否かに応じて各チャネル用のパステーブルを独立に変更することができ、復調性能を向上させることができる。
【００２０】
本発明のフィンガ割当方法は、ＤＰＣＨチャネルおよびＨＳＤＰＡチャネルを含む無線信号を受信する受信ステップと、前記無線信号の遅延プロファイルを生成する生成ステップと、前記遅延プロファイルを用いて、前記ＤＰＣＨチャネル用にレイク合成のフィンガ割当を行う第１割当ステップと、前記遅延プロファイルを用いて、前記ＨＳＤＰＡチャネル用にレイク合成のフィンガ割当を行う第２割当ステップと、前記第１割当ステップの割当結果に従って前記ＤＰＣＨチャネルのレイク合成を行う第１合成ステップと、前記第２割当ステップの割当結果に従って前記ＨＳＤＰＡチャネルのレイク合成を行う第２合成ステップと、を具備し、前記第１割当ステップと前記第２割当ステップとは、前記生成ステップで生成される同一の遅延プロファイルを用いて、互いに異なる割当方法によりフィンガ割当を行うようにした。
【００２１】
この方法によれば、ＨＳＤＰＡのような無線受信装置が複数チャネルの信号を受信する通信システムにおいて、各チャネルの特性に合わせてパステーブルを別々に設定するので、無線受信装置の復調性能を向上させることができる。
【発明の効果】
【００２２】
以上説明したように、本発明によれば、ＨＳＤＰＡのような無線受信装置が複数チャネルの信号を受信する通信システムにおいて、無線受信装置の復調性能を向上させることができる。
【発明を実施するための最良の形態】
【００２３】
下りＨＳ−ＰＤＳＣＨは、通信パケットという非連続な信号を通信するチャネルであり、信号はバースト的に送信されるため、受信側がこれを受信する際には、瞬時的な伝搬路情報を基に復調する必要がある。ＨＳ−ＳＣＣＨも同様のことが言える。また、ＨＳ−ＰＤＳＣＨに使用されるＣＱＩ情報は、このＨＳ−ＰＤＳＣＨに使用される変調方式、符号化方式、ビットレート等を決める情報であり、瞬時の下り回線品質に基づいて生成することが求められる。
【００２４】
一方、下りＤＰＣＨの受信は、連続的に信号を受信するため、時間的に平均化した伝搬路状態を基に受信信号を復調すれば良い。
【００２５】
ところが従来の移動局装置は、上記のように、瞬時な伝搬路情報あるいは平均的な伝搬路情報という要求される条件が異なるチャネルの受信に対して、１つのパステーブルで受信パスの管理を行っていた。
【００２６】
本発明者は、この点に着目し、ＨＳＤＰＡ方式の通信システムにおいて、ＨＳ−ＰＤＳＣＨ／ＨＳ−ＳＣＣＨ／ＣＱＩ生成用とＤＰＣＨ用とで別々のフィンガ割り当て用パステーブルを作成し、これらを用いて各チャネルごとに独立にフィンガ割り当てを実行することにより、移動局装置の復調性能を向上できることを見出して本発明をするに至った。この特徴は、ＨＳＤＰＡ方式の通信システムだけに限らないのは言うまでもない。
【００２７】
すなわち、本発明の骨子は、複数チャネルの無線信号を受信し、レイク合成を行う場合、フィンガ割り当て用パステーブルを各チャネルの特性に合わせて別々に設定し、これらのテーブルを用いて各チャネルで独立にフィンガ割り当てを行うことである。
【００２８】
以下、本発明の実施の形態について、添付図面を参照して詳細に説明する。なお、ここでは、無線受信装置としてＨＳＤＰＡ通信システムにおける移動局装置を例にとって説明する。
【００２９】
（実施の形態１）
図１は、本発明の実施の形態１に係る移動局装置の主要な構成を示すブロック図である。
【００３０】
本実施の形態に係る移動局装置は、受信アンテナ１０１、無線受信部１０２、相関回路１０３、ＤＰＣＨ用パステーブル管理部１０４、ＤＰＣＨ用フィンガ割り当て部１０５、ＨＳＤＰＡ用パステーブル管理部１０６、ＨＳＤＰＡ用フィンガ割り当て部１０７、ＤＰＣＨ用回路１１０ａ、およびＨＳＤＰＡ用回路１１０ｂを有する。
【００３１】
また、ＤＰＣＨ用回路１１０ａは、相関回路１１１ａ（１１１ａ−１〜１１１ａ−ｍ）、復調回路１１２ａ、および復号回路１１３ａを有し、ＨＳＤＰＡ用回路１１０ｂは、相関回路１１１ｂ（１１１ｂ−１〜１１１ｂ−ｎ）、復調回路１１２ｂ、および復号回路１１３ｂを有する。ＤＰＣＨ用回路１１０ａとＨＳＤＰＡ用回路１１０ｂとは基本的に同じ構成となっているので、図中では同一の番号を付し、英字ａおよびｂにより双方を区別することとする。
【００３２】
無線受信部１０２は、受信アンテナ１０１を介して受信した信号にＡ／Ｄ変換等の所定の無線処理を施す。相関回路１０３は、マッチドフィルタ（ＭＦ）および相関器を有し、受信信号から希望セル（自局が収容されているセル）の遅延プロファイルを作成する。このとき、相関回路１０３は、各チャネルに割り当てられている既知信号を用いることにより、各チャネルに対応する遅延プロファイルを求める。
【００３３】
ＤＰＣＨ用パステーブル管理部１０４は、相関回路１０３で得られた遅延プロファイルに基づいて、受信されたＤＰＣＨ信号に各フィンガを割り当てるための上記のパス管理テーブルを生成する。ＤＰＣＨ用フィンガ割り当て部１０５は、ＤＰＣＨ用パステーブル管理部１０４で生成されたパス管理テーブルに基づいてＤＰＣＨのマルチパスに各フィンガを割り当て、その割り当て結果をＤＰＣＨ用回路１１０ａ内の相関回路１１１ａに出力する。
【００３４】
ＨＳＤＰＡ用パステーブル管理部１０６は、相関回路１０３で得られた遅延プロファイルに基づいて、受信されたＨＳＤＰＡ関連のチャネルの信号に各フィンガを割り当てるための上記のパス管理テーブルを生成する。ＨＳＤＰＡ用フィンガ割り当て部１０７は、ＨＳＤＰＡ用パステーブル管理部１０６で生成されたパス管理テーブルに基づいてＨＳＤＰＡ関連のチャネルのマルチパスに各フィンガを割り当て、その割り当て結果をＨＳＤＰＡ用回路１１０ｂ内の相関回路１１１ｂに出力する。
【００３５】
ＤＰＣＨ用回路１１０ａ内の相関回路１１１ａは、マルチパスを処理するための各フィンガ、具体的には相関回路１１１ａ−１〜１１１ａ−ｍを有し、ＤＰＣＨ用フィンガ割り当て部１０５から通知された割り当て結果に基づいて、無線受信部１０２から出力される最大ｍ個までのマルチパスの受信信号に対し、各フィンガを割り当てて各信号の相関演算を行う。復調回路１１２ａは、相関回路１１１ａの相関結果をレイク合成すると共に、同期検波も行い、受信信号を復調する。復号回路１１３ａは、復調回路１１２ａで得られた復調信号を復号し、ＤＰＣＨの復号データを得る。
【００３６】
ＨＳＤＰＡ用回路１１０ｂもＤＰＣＨ用回路１１０ａと同様の動作を行って、ＨＳＤＰＡ関連のチャネルの復号データを得るが、相関回路１１１ｂは、ｎ個のフィンガを有する点が異なっている。
【００３７】
次いで、移動局装置が上記の構成を有することにより、復調性能が向上する原理を詳細に説明する。
【００３８】
ＤＰＣＨ用パステーブル管理部１０４は、例えば、ＤＰＣＨ用パステーブルにおいて、閾値を高目に設定し、かつ、前方保護段数を大きく設定することによって、雑音と考えられるパス（信号）に対してはフィンガを割り当てず、一度閾値を超えたパスに対してはフィンガに残すというフィンガ割り当て、すなわち、信号の連続的な受信に適した割り当てを行うことができる。しかも、この割り当ては、ＨＳＤＰＡチャネルの受信状態に関係なく行うことができる。これにより、移動局装置の復調性能が向上する。
【００３９】
図２は、この復調性能が向上する原理をさらに詳しく説明する図である。
【００４０】
この図に示すように、伝搬路環境（フェージング曲線Ｆ１１）は変動するのが通常であるので、観測区間において一度でも受信レベルが閾値を超えたパス（信号）は、長期的に見て時間平均した受信レベルが高いパスであると予想することができる。そのため、この図に示すように、４０ｍｓｅｃに１回の頻度でパスサーチ処理Ｐ１１を起動しているとすると、パスサーチ処理Ｐ１１が起動してから終了するまでの時間間隔（例えば５ｍｓｅｃ）において受信レベルが低かったとしても（例えば時刻ｔ１２）、次のパスサーチ処理Ｐ１１が起動するまでの残りの３５ｍｓｅｃの間に、このパスの受信レベルは高くなる（復活する）ことが期待される。よって、この受信レベルが高くなったパスを逆拡散に使用すれば、受信信号の復調性能が向上する。すなわち、かかる状況においては、前方保護段数を小さく設定するよりも（フィンガ割り当て可能区間Ｔ１１参照）、前方保護段数を大きく設定することが望ましい（フィンガ割り当て可能区間Ｔ１２参照）。前方保護段数を大きく設定するということは、感度を悪くすることであり、換言すれば、伝搬路環境の変動に対する耐性を強めることになる。
【００４１】
一方、ＨＳＤＰＡ用パステーブルにおいては、閾値を低く設定し、前方保護を小さく設定することによって、瞬時の伝搬路情報を正しく推定でき、パケット受信に適したフィンガ割り当てを行うことができる。
【００４２】
このように、本実施の形態によれば、ＨＳＤＰＡ通信システムにおいて、各チャネルの特性に合わせてパステーブルを別々に設定することができるので、移動局装置は復調性能を向上させることができる。
【００４３】
（実施の形態２）
図３は、本発明の実施の形態２に係る移動局装置の主要な構成を示すブロック図である。なお、この移動局装置は、図１に示した移動局装置と同様の基本的構成を有しており、同一の構成要素には同一の符号を付し、その説明を省略する。
【００４４】
本実施の形態の特徴は、ＤＰＣＨ／ＨＳＤＰＡパステーブル作成制御部２０１をさらに有することである。
【００４５】
ＤＰＣＨ／ＨＳＤＰＡパステーブル作成制御部２０１は、基地局から通知されたＨＳＤＰＡ受信情報（ＨＳＤＰＡ関連のチャネルの送信の有無に関する情報）に基づいて適応的に相関回路１０３を制御し、パスサーチを行う周期および平均化回数を変更する。これにより、復調性能を向上させることができる。
【００４６】
次いで、移動局装置が上記の構成を有することにより復調性能が向上する原理を、図４を用いて詳細に説明する。
【００４７】
従来の移動局装置においては、パステーブルの更新周期は、移動機の電流消費および回路規模増大の観点と性能向上の観点とから、ＤＰＣＨおよびＨＳＤＰＡ通信システムの双方に共通な４０ｍｓｅｃ程度の周期が設定されている。しかし、ＨＳＤＰＡに関連するチャネルの伝搬路環境に対応させるためにパステーブルの更新頻度を増加させる（更新周期を短くする）と、本来それほどの更新周期を必要としないＤＰＣＨに対しても更新頻度を増加させることとなるため、消費電力が大幅に増加する問題がある。
【００４８】
そこで、ＨＳＤＰＡ関連のチャネルのパス管理テーブルとＤＰＣＨのパス管理テーブルの更新周期および平均化回数とを独立に制御して、例えば、ＤＰＣＨ側のパスサーチ処理Ｐ２１の更新周期および平均化回数を変えずに、ＨＳＤＰＡ側のパスサーチ処理Ｐ２２の更新周期および平均化回数だけを短く変更し、ＨＳＤＰＡ関連のチャネルに関して瞬時瞬時の伝搬路環境を推定できるようにする。これにより、ＤＰＣＨに関しては、時間的に平均化された伝搬路情報を使ってフィンガ割り当て区間をＴ２１と設定することができ、また、ＨＳＤＰＡに関しては、瞬時の伝搬路情報を使ってフィンガ割り当て区間をＴ２２（＜Ｔ２１）と設定することができるので、全体として移動局装置の復調性能を向上させることができる。また、双方のパス管理テーブルを独立に制御することにより、ＨＳＤＰＡは１セルからの送信信号を受信し、ＤＰＣＨは複数セルからの送信信号を受信する必要がある状況において、１セルのみの遅延プロファイルの作成頻度を増加させるだけで済み、ＤＰＣＨの遅延プロファイル作成頻度は現状のままに維持できる。よって、消費電力の増加を抑えることができる。
【００４９】
このように、本実施の形態によれば、ＤＰＣＨ用パステーブルおよびＨＳＤＰＡ用パステーブルを独立に制御できるＤＰＣＨ／ＨＳＤＰＡパステーブル作成制御部２０１をさらに有することにより、各チャネルの伝搬路環境に応じて各チャネル用パステーブルを独立に変更することができ、復調性能を向上させることができる。
【００５０】
（実施の形態３）
図５は、本発明の実施の形態３に係る移動局装置の主要な構成を示すブロック図である。なお、この移動局装置は、図１に示した移動局装置と同様の基本的構成を有しており、同一の構成要素には同一の符号を付し、その説明を省略する。
【００５１】
本実施の形態の特徴は、２系統の無線受信部１０２ａ、１０２ｂ、およびＤＰＣＨ／ＨＳＤＰＡパステーブル作成制御部３０１を有し、ＨＳＤＰＡ関連のチャネルについてのみ、２本の受信アンテナ１０１ａ、１０１ｂによるダイバーシチ受信を行うことである。
【００５２】
ＤＰＣＨ／ＨＳＤＰＡパステーブル作成制御部３０１は、実施の形態２で示した、パスサーチを行う周期および平均化回数を適応的に制御する機能のほかに、スイッチ３０２を制御し、相関回路１０３に入力される受信信号を選択する機能を有する。
【００５３】
ＨＳＤＰＡ用フィンガ割り当て部１０７は、アンテナを識別したフィンガ割り当て情報をＨＳＤＰＡ用の相関回路１１１ｂに出力する。相関回路１１１ｂは、２本の受信アンテナ１０１ａ、１０１ｂで受信され、無線受信部１０２ａ、１０２ｂを介して入力された信号に対し、先のフィンガ割り当て情報に基づいて相関処理を施す。
【００５４】
ＤＰＣＨ／ＨＳＤＰＡパステーブル作成制御部３０１は、相関回路１０３を制御して、ＨＳＤＰＡ用のパス管理テーブル作成処理に際し、受信アンテナ１０１ａ、１０１ｂの両方の受信信号からそれぞれパス管理テーブルが作成されるようにする。これにより、受信ダイバーシチを行わない場合と比較して、フェージング相関の低いパスの候補が増えるため、さらに瞬時的に状態の良いパスを選択することができる。よって、ＨＳＤＰＡの復調性能をより一層向上させることができる。
【００５５】
このように、本実施の形態によれば、ＨＳＤＰＡ関連のチャネルについてのみダイバーシチ受信を行うため、レイク合成においてフェージング相関の低いパスの候補が増えることになり、復調性能をさらに向上させることができる。また、ＨＳＤＰＡ以外のチャネルのパスサーチ周期を変えず、ＨＳＤＰＡについてのみパスサーチ周期および平均化回数を独立に適応的に制御することができるので、独立に制御しない場合に比べ、処理時間を短縮し、消費電流を削減することができる。
【００５６】
なお、ダイバーシチ受信に関するフィンガ割り当ての方式としては、上記に限らず、アンテナ間のフェージングあるいはシャドウイング相関が異なることを利用して、可能な限り異なるアンテナのパスを選択する方式等も考えられる。
【００５７】
本発明に係る無線受信装置は、上記の実施の形態１〜３に限定されず、種々変更して実施することが可能である。例えば、上記の実施の形態１〜３は、適宜組み合わせて実施することが可能である。
【００５８】
本発明に係る無線受信装置は、複数チャネルによって通信が行われる通信システムにおいて使用される通信端末装置および基地局装置に搭載することも可能であり、これにより上記と同様の作用効果を有する通信端末装置および基地局装置を提供することができる。
【００５９】
なお、本明細書においては、ＨＳＤＰＡチャネルに対する適用について説明しているが、本発明はこれに限らず、ＤＳＣＨ等、ＨＳＤＰＡと同様にＤＰＣＨとは異なるパスサーチ方式により受信性能を改善できる可能性があるチャネルに対しても適用可能であり、これにより、上記と同様の効果を得ることができる。
【００６０】
また、ここでは、本発明をハードウェアで構成する場合を例にとって説明したが、ソフトウェアで実現することも可能である。
【産業上の利用可能性】
【００６１】
本発明に係る無線受信装置は、復調性能を向上させる効果を有し、ＨＳＤＰＡ（High Speed Downlink Packet Access）方式を採用した通信システムに使用される移動局等に適用できる。
【図面の簡単な説明】
【００６２】
【図１】実施の形態１に係る移動局装置の主要な構成を示すブロック図
【図２】復調性能が向上する原理を説明する図
【図３】実施の形態２に係る移動局装置の主要な構成を示すブロック図
【図４】復調性能が向上する原理を説明する図
【図５】実施の形態３に係る移動局装置の主要な構成を示すブロック図
【符号の説明】
【００６３】
１０２  無線受信部
１０４  ＤＰＣＨ用パステーブル管理部
１０６  ＨＳＤＰＡ用パステーブル管理部
１１１  相関回路
１１２  復調回路
２０１、３０１  ＤＰＣＨ／ＨＳＤＰＡパステーブル作成制御部
【図１】
0003665322.tif 000002
【図２】
0003665322.tif 000003
【図３】
0003665322.tif 000004
【図４】
0003665322.tif 000005
【図５】
0003665322.tif 000006